(57)【要約】【課題】本体１の基部１Ｂに収納した筆記具４の一部を突出させた状態で、かつ基部１Ｂを傾斜させて机上に載置できる筆記具ケースを実現した。【解決手段】筆記具４が収納される本体１と、本体１を開閉する蓋２を折曲可能なヒンジ３により連結して一体成形する。前記本体１に複数の筆記具４を並列に収納する。この本体１の中間部に筆記具４と直交して屈曲部１Ｄを形成する。更に、本体１の基部１Ｂ底面に係合部を形成するとともに本体１の先端部１Ｃ底面に係合部を形成する。前記本体１の屈曲部１Ｄを折り曲げて本体１の先端部１Ｃを略１８０度折り曲げ、基部１Ｂ底面の係合部に先端部１Ｃ底面の係合部を係合させる。【選択図】図１
2010082363.tif 000002
【特許請求の範囲】
【請求項１】
筆記具が収納される本体と本体を開閉する蓋とを折曲可能なヒンジにより連結して一体成形し、前記本体に複数の筆記具を並列に収納し、かつ、本体の中間部に筆記具と直交して屈曲部を形成し、更に、本体の基部底面に係合部を形成するとともに本体の先端部底面に係合部を形成し、筆記具ケース内の筆記具を使用するために、ヒンジを折曲させて蓋を開くとともに、本体の屈曲部を折り曲げて本体の先端部を略１８０度折り曲げ、前記基部底面の係合部に先端部底面の係合部を係合させて筆記具ケースを机上に載置した時、本体の基部が傾斜されるとともに、筆記具の一部が基部より突出して取り出し可能となることを特徴とする筆記具ケース。
【請求項２】
本体の先端部底面に突起状の係合部を形成するとともに本体の基部底面に孔状の係合部を形成し、突起状の係合部を孔状の係合部に嵌め込んで係合させたことを特徴とする請求項１記載の筆記具ケース。
【請求項３】
蓋の内面にパレットを一体に形成したことを特徴とする請求項１又は２記載の筆記具ケース。
【請求項４】
蓋の内面に水筆を洗浄するためのスポンジを設けたことを特徴とする請求項１乃至３のいずれか１項に記載の筆記具ケース。
【請求項５】
筆記具に水溶性固形描画材を用いたことを特徴とする請求項１乃至４のいずれか１項に記載の筆記具ケース。
【発明の詳細な説明】
【技術分野】
【０００１】
本発明は、複数の筆記具が収納される本体と、本体を開閉する蓋を折曲可能なヒンジにより一体成形した筆記具ケースに関する。
【背景技術】
【０００２】
従来から、蓋を開いた本体を机上に水平に置き、本体内に収納した筆記具を任意に取り出して使用する筆記具ケースが知られている。（特許文献１参照）
【０００３】
また、ケースを所定の傾斜位置に保持し、この状態で筆記具等を簡単に充填可能にかつ容易に取出しできるように収容したケースが知られている。（特許文献２参照）
【特許文献１】登録実用新案第３１１８２４２号公報
【特許文献２】特開２００１−６１５３２号公報
【発明の開示】
【発明が解決しようとする課題】
【０００４】
しかし、特許文献１のように、水平に置かれた本体内から筆記具を取り出して使用することは非常に取り出しにくく、頻繁に筆記具を取り替えて使用することは不可能であった。
【０００５】
また、特許文献２のように、傾斜したケースから筆記具等を取り出して使用できるケースも知られているが、これは下側の閉鎖シェル２１から上側の閉鎖シェル２２を開いた後、下側の閉鎖シェル２１をフラップヒンジ１４を折り曲げた後、再び上側の閉鎖シェル２２と下側の閉鎖シェル２１を閉じることによってケースを傾斜させて載置するものであり、傾斜して載置するための操作が非常に複雑であった。
【０００６】
本発明は、上記課題を解消する筆記具ケースを提供することを目的とするものである。
【課題を解決するための手段】
【０００７】
本発明は、筆記具が収納される本体と本体を開閉する蓋とを折曲可能なヒンジにより連結して一体成形し、前記本体に複数の筆記具を並列に収納し、かつ、本体の中間部に筆記具と直交して屈曲部を形成し、更に、本体の基部底面に係合部を形成するとともに本体の先端部底面に係合部を形成し、筆記具ケース内の筆記具を使用するために、ヒンジを折曲させて蓋を開くとともに、本体の屈曲部を折り曲げて本体の先端部を略１８０度折り曲げ、前記基部底面の係合部に先端部底面の係合部を係合させて筆記具ケースを机上に載置した時、本体の基部が傾斜されるとともに、筆記具の一部が基部より突出して取り出し可能となることを第１の要旨とする。
【０００８】
また、本体の先端部底面に突起状の係合部を形成するとともに本体の基部底面に孔状の係合部を形成し、突起状の係合部を孔状の係合部に嵌め込んで係合させたことを第２の要旨とする。
【０００９】
更に、蓋の内面にパレットを一体に形成したことを第３の要旨とする。
【００１０】
更にまた、蓋の内面に水筆を洗浄するためのスポンジを設けたことを第４の要旨とする。
【００１１】
更にまた、筆記具に水溶性固形描画材を用いたことを第５の要旨とする。
【発明の効果】
【００１２】
本発明の筆記具ケースは、本体の先端部を略１８０度折り曲げて、基部底面の係合部に先端部底面の係合部を係合させるという極めて簡単な操作で、本体を傾斜させて机上に載置して使用することができ、本体内の筆記具を頻繁に取り替える作業が容易に行える効果が奏せられるものである。
【発明を実施するための最良の形態】
【００１３】
本体の先端部を略１８０度折り曲げ、基部底面の係合部に先端部底面の係合部を係合させるという簡単な操作で、本体を傾斜して机上に載置できるとともに筆記具の一部を突出させることができる筆記具ケースを実現した。
【実施例１】
【００１４】
以下、図１、図２、図３、図４、図５および図６に基づいて本発明における実施例１の筆記具ケースを説明する。先ず、箱型の本体１の下部側壁１Ａと蓋２の上部側壁２Ａを折曲可能なヒンジ３により連結して一体成形し筆記具ケースを構成する。
【００１５】
この本体１は、基部１Ｂとその上部に位置する先端部１Ｃが左右に伸びた屈曲部１Ｄにより連結されて構成され、この基部１Ｂの底面に３つの係合孔１Ｅが並列して形成され係合部を構成するとともに、先端部１Ｃの底面に３つの係合突起１Ｆが並列して形成され係合部を構成する。この基部１Ｂの係合孔１Ｅと先端部１Ｃの係合突起１Ｆは屈曲部１Ｄを１８０度折り曲げた時に、互いに係合可能となっている。
【００１６】
前記基部１Ｂの内面には左右に伸びた仕切部１Ｇを上下に２列形成し、この仕切部１Ｇには相対位置に略半円形の切欠部１Ｈが等間隔に形成され、筆記具４の収納部を構成する。更に仕切部１Ｇの右端には上下に伸びた２列の仕切壁１Ｉにより水筆５の収納部を形成する。更にその右端には芯削り６が収納されるとともに、後述するスポンジ７が入り込むための空間部１Ｊが形成される。また、基部１Ｂの左側壁には吊り下げ部１Ｋが形成されている。
【００１７】
前記蓋２の内面には調色用のパレット２Ｂが形成されるとともに、筆記具４を押さえるための左右方向等間隔に形成された突部２Ｃが上下に２列構成されている。更に、蓋２の内面の右側には水筆５を洗浄するためのスポンジ７が設けられている。
【００１８】
前記筆記具ケースには、仕切部１Ｇの切欠部１Ｈに水溶性固形描画材を繰り出し可能に内蔵した筆記具４を並設して複数収納する。この時、筆記具４は前記屈曲部１Ｄと直交して配置される。また、２つの仕切壁１Ｉにより形成した収納部に水筆５を収納し、図１、図２、図３および図４に示した状態とする。
【００１９】
この筆記具ケースの蓋２を閉じて蓋２の係止部２Ｄを本体１の係止突起１Ｌに係止すれば、本体１を閉じた携帯状態となる。また、この時に本体１を水平に保つために基部１Ｂの下側底面に前記係合突起１Ｆと同じ高さの支持突起１Ｍが左右に３個形成される。
【００２０】
また、筆記具４を使用する場合には、蓋２の係止部２Ｄを本体１の係止突起１Ｌより外し、蓋２を開くとともに、本体１の屈曲部１Ｄを折り曲げて先端部１Ｃの３つの係合突起１Ｆを基部１Ｂの３つの係合孔１Ｅにそれぞれ係合させ図５および図６に示した状態とする。この状態では基部１Ｂが傾斜されて机８上に載置可能となるとともに、筆記具４の一部が基部１Ｂより突出する。したがって、この状態で水溶性固形描画材を使って絵を画く時、筆記具４の取り替えが簡単に行えるとともに、芯削り６を使って芯粉を作り、パレット２Ｂに異なる芯粉を混ぜ合わせて水筆５で溶けば調色を行うことができる。したがって、絵を画く作業を効率良く行うことができる。
【実施例２】
【００２１】
以下、図７に基づいて本発明における実施例２の筆記具ケースを説明する。尚、実施例２の筆記具ケースは、本体１１の基部１１Ｂの底面に形成する係合部と先端部１１Ｃの底面に形成する係合部における実施例を示したもので、その他の構成は実施例１と同様である。相違点を説明すると、基部１１Ｂの底面に上下に伸びた係合孔１１Ｅを３個並列に形成して係合部を構成する。更に、先端部１１Ｃの底面に上下に伸びた係合突起１１Ｆを３個並列に形成して係合部を構成する。しかも、先端部１１Ｃの係合突起１１Ｆは基部１１Ｂの係合孔１１Ｅより短く構成する。
【００２２】
したがって、実施例２の場合は、先端部１１Ｃを屈曲させて係合突起１１Ｆを係合孔１１Ｅに係合する時、多少の寸法誤差が生じても確実に係合することができる利点が得られる。
【実施例３】
【００２３】
以下、図８に基づいて本発明における実施例３の筆記具ケースを説明する。尚、実施例３の筆記具ケースは、本体２１の基部２１Ｂの底面に形成する係合部と先端部２１Ｃの底面に形成する係合部における実施例を示したもので、その他の構成は実施例１と同様である。相違点を説明すると、基部２１Ｂの底面に上下に伸びた突部２１Ｎを２個並列に形成し、この一対の突部２１Ｎを基部２１Ｂの左右に３個形成して係合部を構成する。更に、先端部２１Ｃの底面に四角形の係合突起２１Ｆを左右に３個形成して係合部を構成する。
【００２４】
したがって実施例３の場合には、先端部２１Ｃを屈曲させて、先端部２１Ｃに形成した四角形の係合突起２１Ｆを基部２１Ｂに形成した１対の突部２１Ｎの間に係合する時、多少の寸法誤差が生じても係合突起２１Ｆの位置が上下にずれるのみで確実に係合することができる。
【産業上の利用可能性】
【００２５】
本件の基部に収納した筆記具の一部を突出させた状態で、かつ基部を傾斜させて机上に載置できる筆記具ケースに適用できる。
【図面の簡単な説明】
【００２６】
【図１】本発明の筆記具ケースを示す平面図である。（実施例１）
【図２】本発明の筆記具ケースを示す右側面図である。（実施例１）
【図３】本発明の筆記具ケースを示す底面図である。（実施例１）
【図４】図１のＡ−Ａ線を示す断面図である。（実施例１）
【図５】本発明の筆記具ケースにおける使用状態を示す平面図である。（実施例１）
【図６】本発明の筆記具ケースにおける使用状態を示す部分断面図である。（実施例１）
【図７】本発明の筆記具ケースを示す底面図である。（実施例２）
【図８】本発明の筆記具ケースを示す底面図である。（実施例３）
【符号の説明】
【００２７】
１  本体
１Ｂ  本体１の基部
１Ｃ  本体１の先端部
１Ｄ  本体１の屈曲部
２  蓋
２Ｂ  蓋２のパレット
３  ヒンジ
４  筆記具
５  水筆
７  スポンジ
１１  本体
１１Ｂ  本体１１の基部
１１Ｃ  本体１１の先端部
２１  本体
２１Ｂ  本体２１の基部
２１Ｃ  本体２１の先端部
【図１】
2010082363.tif 000003
【図２】
2010082363.tif 000004
【図３】
2010082363.tif 000005
【図４】
2010082363.tif 000006
【図５】
2010082363.tif 000007
【図６】
2010082363.tif 000008
【図７】
2010082363.tif 000009
【図８】
2010082363.tif 000010